(57)【要約】【課題】一般市民が小区画の農地を借りて農園や菜園を営む場合、農具や肥料、水を農作業の度、離れた場所から農地まで車で運搬しなければならないという不便を解消する手段を提供すること【解決手段】保管箱１０を野天に置いておくことで、蓋体１２の表面に降った雨水が溝１２ｂを通って貯水タンク１５に貯まる。そのため、この保管箱１０を農地に置いておけば、農地に降る雨水を農作業に効率的に利用できる。従って、農地から離れた水源から農地まで貯水タンク１５を車で運搬する手間を省略できる。リング金具１８に杭を通し、杭を農地に打ち込んで固定することで、保管箱の盗難を防止できる。また、本体１１に鍬２１、鋤２２、肥料２３等を収納し、鍵前２０で蓋体１２を施錠することにより農具類の盗難を防止できる。【選択図】図１
2012116556.tif 000002
【特許請求の範囲】
【請求項１】
上面に保管物を出し入れするための開口を形成した本体と、本体の上面開口を開閉可能に覆蓋する蓋体を備えた保管箱であって、
前記蓋体に、蓋体表面に降り注いだ雨水が流入する溝と、この溝に流入した雨水を貯水タンク類へ排出する排出口を形成したことを特徴とする保管箱。
【請求項２】
前記本体が鋤又は鍬に類する長尺農具が収納可能な形状及び寸法を有することを特徴とする請求項１に記載の保管箱。
【請求項３】
前記溝を蓋体の略全周に沿って形成したことを特徴とする請求項１又は２に記載の保管箱。
【請求項４】
前記蓋体を前記本体に施錠するロック手段と、地面に固定したアンカー部材と前記本体とを連結するチェーン類を連結するための連結金具を備えたことを特徴とする請求項２に記載の保管箱。
【発明の詳細な説明】
【技術分野】
【０００１】
本発明は保管箱に関し、より詳しくは農園や菜園で使用する鋤や鍬のような長尺の農具若しくは肥料を保管するに好適な保管箱に関する。
【背景技術】
【０００２】
近時、耕作放棄された農地を小区画に区切って一般市民に貸し出し、一般市民がこれを農園や菜園として利用する農地の利用方法が広く普及している。
一般市民が小区画の農地を借りて農作業を行う場合、水が不可欠であるが、農地の近辺に利用可能な水源が無い場合、水道等離れた場所にある水源から貯水タンクを使って水を農地まで車で運搬しなければならず、甚だ不便である。
【０００３】
また、一般市民が農地を借りた場合、借りた農地に農具小屋のような建物を勝手に建築することはできない。そのため、農作業に必要な鋤、鍬の農具や肥料等を自宅等農地か羅離れた場所で保管し、農作業の都度、そこから農地まで車のトランクに入れて運搬しなければならず、甚だ不便である。
【先行技術文献】
【特許文献】
【０００４】
【特許文献１】引用なし
【発明の概要】
【発明が解決しようとする課題】
【０００５】
本発明は一般市民が小区画の農地を借りて農園や菜園を営む場合、農具や肥料、水を農作業の度、離れた場所から農地まで車で運搬しなければならないという不便を解消する手段を提供することを目的とする。
【課題を解決するための手段】
【０００６】
請求項１に記載の発明は、上面に保管物を出し入れするための開口を形成した本体と、本体の上面開口を開閉可能に覆蓋する蓋体を備えた保管箱であって、
前記蓋体に、蓋体表面に降り注いだ雨水が流入する溝と、この溝に流入した雨水を貯水タンク類へ排出する排出口を形成したことを特徴とする。
【０００７】
請求項２に記載の発明は請求項１に記載の保管箱において、前記本体が鋤又は鍬に類する長尺農具が収納可能な形状及び寸法を有することを特徴とする。
【０００８】
請求項３に記載の発明は、請求項１又は２に記載の保管箱において、前記溝を蓋体の略全周に沿って形成したことを特徴とする。
【０００９】
請求項４に記載の発明は、請求項２に記載の保管箱において、前記蓋体を前記本体に施錠するロック手段と、地面に固定したアンカー部材と前記本体とを連結するチェーン類を連結するための連結金具を備えたことを特徴とする。
【発明の効果】
【００１０】
請求項１に係る発明によれば、保管箱を野天に置いておくことで、蓋体の表面に降った雨水を貯水タンクやバケツに貯めることができる。そのため、この保管箱を農地に置いておけば、農地に降る雨水を農作業に効率的に利用できるので、農地から離れた水源から農地まで貯水タンクの水を車で運搬する手間を省略できる。
【００１１】
請求項２に記載の発明によれば、鋤や鍬のような長尺農具又は肥料等を保管箱に収納し、この保管箱を農地に置いておくことにより、鋤、鍬、肥料等を離れた保管場所から農地まで運搬する手間を省略できる。
【００１２】
請求項３に記載の発明によれば、蓋体の略全周に溝を形成したので、蓋体の表面に降り注ぐ雨水の殆どを貯水タンクに効率的に貯めることができる。
【００１３】
請求項４に記載の発明によれば、保管箱に収納した農具や肥料の盗難をロック手段によって防止でき、また保管箱とアンカーをチェーン類で連結することにより保管箱そのものの盗難を防止できる。そのため、保管箱を農地に置いたままで農地を離れることができる。従って、農作業の度に保管箱を自宅から農地まで車で運搬する手間を省くことができる。
【図面の簡単な説明】
【００１４】
【図１】本発明の実施例に係る保管箱を示す背面側から見た斜視図である。
【図２】同保管箱を正面側から見た斜視図である。
【図３】図１の３−３線から切断した断面図である。
【実施例】
【００１５】
以下に本発明を図面に基づき説明するに、図には本発明の一実施例に係る保管箱が示されている。当該保管箱１０は上面に開口１１ａを形成した中空長方体形状の本体１１と、本体１１の上面開口１１ａを開閉可能に覆蓋する蓋体１２から成る。
【００１６】
本体１１は硬質プラスチックの成形品で、鋤や鍬などの長尺農具を上面開口１１ａから収納できる寸法を備えている。本実施例に係る本体１１は横幅約１，５００ｍｍ、奥行き幅４００ｍｍ、深さ４００ｍｍの寸法を有する。
【００１７】
蓋体１２は本体１１と同じく硬質プラスチックの成形品で、長方形の平坦な表面１２ａを有し、全周に断面Ｕ字形の溝１２ｂが形成され、溝１２ｂの一箇所の角隅部の底面に溝１２ｂから雨水を排出する排水口１２ｃが形成されている。この排水口１２ｃには短尺の排水パイプ１３が接続されている。そして、この排水パイプ１３にはエルボーパイプ１４を介し溝１２ｂの雨水を貯める貯水タンク１５を接続することができる。硬質プラスチック製の本体１１と蓋体１２は、本体１１の上面開口１１ａを覆蓋している蓋体１２に大人が着座しても変形したり破損することのないように所要の強度をもたせている。
【００１８】
蓋体１２は２個のヒンジ金具１６で本体１１の上面開口部１１ａに開閉可能に組み付けられている。このヒンジ金具１６は第１ヒンジプレート１６ａと第２ヒンジプレート１６ｂ及び両プレート１６ａ，１６ｂを連結するヒンジピン１６ｃから成り、第１ヒンジプレート１６ａが蓋体１２の溝１２ａの底面裏側に固定され、第２ヒンジプレート１６ｂが本体１１の背面上端部に固定されている。また、第２ヒンジプレート１６ｂには盗難防止用チェーン１７の一端が連結されている。このチェーン１７の他端にはリング金具１８が取り付けられている。
【００１９】
蓋体１２の正面側に２個のロック金具１９が取り付けられている。このロック金具１９は第１ロックプレート１９ａ、第２ロックプレート１９ｂ、両ロックプレート１９ａ，１９ｂを連結するヒンジピン１９ｃ及び第３ロックプレート１９ｄから成り、第１ロックプレート１９ａが蓋体１２の溝１２ａの底面裏側に固定されている。第２ロックプレート１９ｂにはロック穴が形成されている。第３ロックプレート１９ｄは本体１１の正面上端部に固定されている。この第３ロックプレート１９ｄにはロック穴に着脱可能に挿入されるロックブロック１９ｅが一体に凸設されている。このロックブロック１９ｅに錠前２０を取り付けることにより蓋体１２を施錠できる。
【００２０】
本実施例に係る保管箱の構造は以上の通りであって、リング金具１８に杭を通し、杭を農地に打ち込んで固定することで、保管箱の盗難を防止できる。また、本体１１に鍬２１、鋤２２、肥料２３等を収納し、鍵前２０で蓋体１２を施錠することにより農具類の盗難を防止できる。また、農作業の合間に蓋体に腰掛けて休息できる。
【００２１】
本実施例に係る保管箱１０によれば、保管箱１０を野天に置いておくことで、蓋体１２の表面に降った雨水を貯水タンク１５に貯めることができる。そのため、この保管箱１０を農地に置いておけば、農地に降る雨水を農作業に効率的に利用できる。従って、農地から離れた水源から農地まで貯水タンク１５を車で運搬する手間を省略できる。
【００２２】
鋤２２や鍬２１のような長尺農具又は肥料２３等を保管箱１０に収納し、この保管箱１０を農地に置いておくことにより、鋤２２、鍬２１、肥料２３等を離れた保管場所から農地まで運搬する手間を省略できる。
【００２３】
蓋体１２の略全周に溝１２ａを形成したので、蓋体１２の表面に降り注ぐ雨水の殆どを貯水タンク１５に効率的に貯めることができる。
【００２４】
なお、本実施例の保管箱１０ではもっぱら長尺農具２１，２２の保管の用途について説明したが、長尺農具２１，２２に限らず、ベンチや金槌等の短尺道具の保管に用いることができる。
また、保管箱１０の盗難防止にチェーン１７を用いたが、ワイヤを利用することも可能である。
更にまた、蓋体１２の表面を平坦に形成し、溝１２ａを蓋１２の全周に形成したが、蓋体１２の表面に複数条の溝を形成することも可能である。
【符号の説明】
【００２５】
１０…保管箱
１１…本体
１１ａ…上面開口
１２…蓋体
１２ｂ…溝
１２ｃ…排出口
１５…貯水タンク
１７…チェーン
１９…ロック金具
【図１】
2012116556.tif 000003
【図２】
2012116556.tif 000004
【図３】
2012116556.tif 000005